(57)【要約】　　　（修正有）【課題】音とテープや花吹雪を楽しみつつ、同時に集まっている個々人の個性的なメッセージを中空に飛ばして、飛翔・浮遊させることができ、パーティー会場などを大いに盛り上げることができるクラッカー利用型のメッセージ打ち上げ具を提供する。【解決手段】火薬とテープ等を筒体２ａに収蔵し後部に操作紐２５を有するクラッカー２と、このクラッカーを抜けないように収納し、下部に前記クラッカーの操作紐を導出する開口を有し、クラッカーの飛出し口より上部域にはメッセージ片３の収納空間を有するメッセージ打上げ用筒体１と、前記メッセージ片の収納空間上位を軽く閉止する蓋片４を備えている。【選択図】　　図１
0003098295.tif 000002
【実用新案登録請求の範囲】
【請求項１】
火薬とテープ等を筒体に収蔵し後部に操作紐を有するクラッカーと、このクラッカーを収納し、下部に前記クラッカーの操作紐を導出する開口を有し、クラッカーの飛出し口より上部域にはメッセージ片の収納空間を有するメッセージ打上げ用筒体と、前記メッセージ片の収納空間上位のメッセージ打上げ用筒体部分を軽く閉止する蓋片を備えたことを特徴とするメッセージ打ち上げ具。
【請求項２】
前記メッセージ打上げ用筒体がテーパー筒状をなしている請求項１に記載のメッセージ打ち上げ具。
【考案の詳細な説明】
【０００１】
【考案の属する技術分野】
本考案はメッセージを中空に打ち上げ、飛翔・浮遊させることができるメッセージ打ち上げ具に関する。
【０００２】
【従来の技術】
複数人が集まってクリスマス、誕生日、結婚、バレンタインデーなどを祝す場合に、その場の雰囲気を盛り上げるための手段としてクラッカーが汎用されている。
【０００３】
しかし、従来のクラッカーは、筒状の本体に火薬とテープあるいは花吹雪を装填したものであったので、それなりのインパクトはあるものの、出席者の祝賀の気持ちを表した物を以後に残せない難点があった。
【０００４】
この対策として、実開平５―１７３９６号公報には、クラッカーの筒状本体の側壁に、メッセージテープの一端を貼り付けたものが提案されている。
しかし、この先行技術は、第１に、クラッカーそのものを加工するので、煩雑であり、また安全性に懸念がある。すなわち、クラッカーの筒状本体の蓋を外し、メッセージテープを内部の壁に貼らなければならので、非常に面倒である。また、かかる作業の際に何らかの拍子で操作紐が引張られると、火薬が爆発してけがを負う危険があった。
【０００５】
第２に、前記理由からメッセージはあらかじめクラッカーメーカーが作成したありきたりなものにならざるを得なくなり、メッセージ送り主の独自の思いを綴った個性的なメッセージは実際上使用できない。
第３に、クラッカーを使用したときに、メッセージテープがクラッカーの筒状本体の側壁に付いたままであるので、爆風で切れてしまったりしやすい。切れないで残ったとしても、メッセージテープのついた火薬臭のする使用済みクラッカーを保存しなければならなくなり、煩雑きわまる。
【０００６】
【考案が解決しようとする課題】
本考案は前記のような問題点を解消するためになされたもので、その目的とするところは、音とテープや花吹雪を楽しみつつ、同時に集まっている個々人の個性的なメッセージを中空に飛ばして、飛翔・浮遊させることができ、パーティー会場などを大いに盛り上げることができるクラッカー利用型のメッセージ打ち上げ具を提供することにある。
【０００７】
【課題を解決するための手段】
上記目的を達成するため本考案は、火薬とテープ等を筒体に収蔵し後部に操作紐を有するクラッカーと、このクラッカーを収納し、下部に前記クラッカーの操作紐を導出する開口を有し、クラッカーの飛出し口より上部域にはメッセージ片の収納空間を有するメッセージ打上げ用筒体と、前記メッセージ片の収納空間上位のメッセージ打上げ用筒体部分を軽く閉止する蓋片を備えたことを特徴としている。
【０００８】
好適には、前記メッセージ打上げ用筒体がテーパー筒状をなしている
【０００９】
【考案の実施の形態】
以下、添付図面を参照して本考案の実施例を説明する。
図１ないし図４は本考案によるメッセージ打ち上げ具の一実施例を示しており、図１において、１はメッセージ打上げ用筒体であり、厚紙など廃棄の容易な素材により下部に向うほど径が細くなるようにテーパー状に構成され、下端と上端には開口１０，１１が設けられている。外面には所望の加飾が印刷的手法で施される。
【００１０】
２はクラッカーであり、前記メッセージ打上げ用筒体１の中間部に装填されている。クラッカー２は最大直径が前記メッセージ打上げ用筒体１の上部開口１１はクラッカー２の最大直径よりも大きく、下部開口１０はクラッカー２の最大直径よりも小さく構成されている。
クラッカー２は公知のものであり、筒体２ａの下部に火薬２０を収蔵し、火薬２０に通じた操作紐２５を筒体２ａ底から延出する一方、火薬２０よりも上方に仕切り２１を介してテープや花吹雪等の飛翔装飾具２２を配し、上端の飛出し口２３を蓋体２４で閉止している。前記クラッカーの操作紐２５はメッセージ打上げ用筒体１の下端開口１０から外部に導出されている。
【００１１】
３はメッセージ片であり、メッセージ打上げ用筒体１およびクラッカー２とは独立した部品として作られ、前記クラッカー１の飛出し口２３閉じている蓋体２４の上方にあるメッセージ打上げ用筒体の空間部分１２に装填されている。
【００１２】
メッセージ片３は、既存のあるいは手作りの薄手の紙に、所望のメッセージ内容３０を手書きしている。メッセージ片３は４つ折り、紙飛行機、折鶴（図５参照）など所望の形にされ、前記空間部分１２に入れられる。
【００１３】
４は前記メッセージ片３を装填した空間部分１２を軽度に閉じ、メッセージ打上げ用筒体１を傾斜してもメッセージ片３が脱出、落下しないようにするための蓋片であり、クラッカー２の爆発時に飛翔装飾具２２とメッセージ片３があまり抵抗を受けずにメッセージ打上げ用筒体１の開口１１から飛び出せるように、仮止めに近い形で開口付近に取り付けられる。
【００１４】
この実施例では、蓋片４は円盤状をなし、図２のように、外縁の数箇所に舌状片４０を連接している。そして、メッセージ打上げ用筒体１の開口付近には、前記舌状片４０を差し込むスリット１４が設けられている。
【００１５】
図４は、前記第１実施例のメッセージ打上げ用筒体１とメッセージ片３および蓋片４を分解状態で示しており、メッセージ打上げ用筒体１’は、扇状をなした素材シート１００の縦方向縁部に糊しろ１０１が設けられ、上縁付近にスリット１４が設けられている。
本考案は、このようにメッセージ打上げ用筒体１とメッセージ片３および蓋片４をキットとし、購入者が自分で組み立てる場合を含んでいる。
【００１６】
図５は、蓋片４の他の例を示しており、この例では、蓋片４の縁部を感圧式接着片６でメッセージ打上げ用筒体１に軽く接着し、爆圧で感圧式接着片６を剥離させるようにしている。
【００１７】
【実施例の作用】
本考案の使用法と作用を説明すると、メッセージ打上げ用筒体１がテーパー状をなしているので、クラッカー２が円筒形、コーン形など各種であっても、これを挿入すれば操作紐２５がメッセージ打上げ用筒体１の開口１０から導出されるとともに、クラッカー筒体２ａそれ自体は、メッセージ打上げ用筒体１の傾斜した内壁に接触して摩擦により途中で引っかかる。したがって、みだりに抜け出さないように簡単に位置決め装填することができる。
【００１８】
ついで、メッセージ打上げ用筒体１の上端開口１１から、所望のメッセージ内容３０を記し、所望形状にしたメッセージ片３を装填する。
この装填は、あらかじめあるいはパーティ会場で即席的になど任意のときに行なえる。
メッセージ打上げ用筒体内では、クラッカー２が前記のように直径に応じた位置に保持されているので、メッセージ片３はクラッカー蓋の上確実に置かれる。
【００１９】
この状態で、図３のように、蓋片４をメッセージ打上げ用筒体１の上端開口付近に取り付ける。これにより、メッセージ片３はクラッカー２と蓋片４との間の区画された空間部（部屋）１２に収納される。蓋片４がメッセージ打上げ用筒体１の上端開口付近にあるので、メッセージ打上げ用筒体１を斜め、水平あるいは下向きに向けても、メッセージ片３は不用意に脱出したり、落下したりしない。
【００２０】
メッセージ打上げ用筒体１を所望の方向に向け、操作紐２５を引っ張れば、クラッカー２の爆発でクラッカー蓋が吹き飛び、飛翔装飾具２２が衝撃的に飛び出す。この爆圧と飛翔装飾具２２の衝撃によってメッセージ片３も飛出し、それらによって蓋片４が自動的に開披ないしは破壊される。
このため、メッセージ打上げ用筒体１の上端開口から、飛翔装飾具２２とメッセージ片３が中空に打ち上げられ、ひらひらと飛翔して落下する。また、メッセージ打上げ用筒体１が所定の長さを有しているので、飛翔装飾具２２とメッセージ片３は高く打ち上げられる。
【００２１】
落下したメッセージ片３を拾って開けば、メッセージ内容３０がわかり、場の雰囲気を大いに盛り上げることができる。すなわち、打ち上げられて落下したメッセージ片３を探して拾う宝探し的遊びや、拾ったメッセージ片３の記載内容を読み上げて誰からのメッセージかを当てるクイズ的遊びなどを付随的に行うことができる。
また、メッセージ片３に番号を振るなどしておけば、景品のあたり、外れにも使える。
落下して拾われたメッセージ片３は、クラッカー２とは完全に独立しているため、記念として保存することが容易である。
メッセージ打上げ用筒体１は紙で作ることができるので、使用後は一般ごみとして簡単に処分できる。
【００２２】
【考案の効果】
以上説明した本考案の請求項１によるときには、音とテープや花吹雪を楽しみつつ、同時に集まっている個々人の個性的なメッセージを中空に飛ばして、飛翔・浮遊させることができ、パーティー会場などを大いに盛り上げることができるクラッカー利用型のメッセージ打ち上げ具を提供できるというすぐれた効果が得られる。
【００２３】
請求項２によれば、クラッカー２が円筒形、コーン形など各種であっても、メッセージ打上げ用筒体１に挿入するだけで傾斜内壁に接触して所定位置で引っかかるので、簡単に位置決め固定することができるとともに、クラッカー２の上方にメッセージ片３の収容空間を確実に形成できるというすぐれた効果が得られる。
【図面の簡単な説明】
【図１】本考案によるメッセージ打ち上げ具の一実施例を示す部分切欠側面図である。
【図２】図２は図１のＩＩ−ＩＩ線に沿う断面図である。
【図３】図３はメッセージ片の装填時の状態を示す部分切欠側面図である。
【図４】第１実施例の状態を示す平面図である。
【図５】本考案の別の例を示す部分的側面図である。
【符号の説明】
１　　メッセージ打上げ用筒体
２　　クラッカー
２ａ　筒体
３　　メッセージ片
４　　蓋片
２０　火薬
２５　操作紐
２２　飛翔装飾具
【図１】
0003098295.tif 000003
【図２】
0003098295.tif 000004
【図３】
0003098295.tif 000005
【図４】
0003098295.tif 000006
【図５】
0003098295.tif 000007